(57)【要約】【課題】高度の技能を必要とせず、簡便に壁パネルを正確に鉛直に設置する。【解決手段】面材２の四周端縁部に配設される枠体３の内、下横桟８を除き、少なくとも左右の縦桟４が、凹部５を有する樹脂製の樹脂下地材６から形成され、縦桟の凹部は枠体の外方に開放して配置され、左右の縦桟間に配設された下横桟の下端部が面材下端より下方に突出している壁パネル１が、床部９に設置されたレール１１の上方に開放した凹部１０に下横桟の下端部を挿入するとともに、縦桟の凹部に、レールの凹部に挿入、固定された縦下地実１２を挿入し、立ち具合が調整されて縦下地実に固定され、レールに沿って鉛直に設置される。【選択図】図１
2009102959.tif 000002
【特許請求の範囲】
【請求項１】
上下の横桟および左右の縦桟により組み立てられる枠体の前面または裏面側のいずれか一方または両方に面材が、面材裏面の四周端縁部に枠体が配置されて配設され、枠体を形成する上下の横桟および左右の縦桟の内、下横桟を除き、少なくとも左右の縦桟が、凹部を有する樹脂製の樹脂下地材から形成され、縦桟の凹部は枠体の外方に開放して配置され、左右の縦桟間に配設された下横桟の下端部が面材下端より下方に突出している壁パネルの複数枚が横に並置されて固定される壁パネルの固定構造であって、上方に開放した凹部を有する略樋状形状のレールが床部に設置され、レールの凹部に、横に並置したときに隣接する２枚の壁パネルにおいて互いに突き合わされる左右の縦桟の凹部が２つ合わさった領域に収まる縦下地実が挿入されて固定され、下横桟の下端部がレールの凹部に挿入されるとともに、縦桟の凹部に縦下地実が挿入され、立ち具合が調整されて壁パネルが縦下地実に固定され、壁パネルがレールに沿って鉛直に設置されることを特徴とする壁パネルの固定構造。
【請求項２】
壁パネルは、面材の正面側から略垂直にねじ込まれるビスによって縦下地実に固定されることを特徴とする請求項１に記載の壁パネルの固定構造。
【発明の詳細な説明】
【技術分野】
【０００１】
本発明は、壁パネルを複数枚横に並置して間仕切壁などを形成する際の壁パネルの固定構造に関する。
【背景技術】
【０００２】
内装用の壁パネルを複数枚横に並置し、連設して、間仕切壁などの建物の内壁が形成されている。この場合の壁パネルとして、上下左右の桟から組み立てられた枠体の前面または裏面側のいずれか一方に面材が、面材裏面の四周端縁部に枠体が配置されて配設された、正面視略矩形形状を有するものが一般に知られている。
【０００３】
このような壁パネルを建物の床下地などの床部に立て込み、固定するが、その際に、床部表面が必ずしも水平に配置されているとは限らないため、壁パネルの立ち具合を調整することが必要となっている。すなわち、壁パネルが、鉛直に設置されるように、水平面に対して垂直に起立させるための調整が必要となっている。
【０００４】
従来、そのような壁パネルの立ち具合の調整は、通常、図７に示したように、壁パネル７１の下端において楔などの調整具７２を建物の床部７３の表面との間に挿入し、壁パネル７１が鉛直に起立するように立ち具合を調整していた。
【０００５】
しかしながら、楔などの調整具７２による壁パネル７１の立ち具合の調整は、大工技能を有する者にしか行うことができない、熟練を要する作業となっている。特に、調整具７２の加工や挿入具合など、水平を確認しながら垂直に壁パネル７１の立ち位置を調整するのに技能を要している。
【０００６】
一方、壁パネルについては、上下一対の横框材および左右一対の縦框材から構成され、外方に開放したプラスチックフレームなどのフレームの表面側に表面材が、裏面側に裏面材が取り付けられた、浴室ユニット用の壁パネルが提案されている（特許文献１）。
【特許文献１】特開平７−１２７１８４号公報
【発明の開示】
【発明が解決しようとする課題】
【０００７】
しかしながら、特許文献１には、上記壁パネルをどのようにして立ち具合を調整して立て込み、浴室ユニットの壁面を形成するのかについて何ら記載されていない。
【０００８】
本発明は、以上の通りの事情に鑑みてなされたものであり、高度の技能を必要とせず、簡便に壁パネルを正確に鉛直に設置することのできる壁パネルの固定構造を提供することを課題としている。
【課題を解決するための手段】
【０００９】
本発明は、上記の課題を解決するために、以下の特徴を有する。
【００１０】
第１の発明は、上下の横桟および左右の縦桟により組み立てられる枠体の前面または裏面側のいずれか一方または両方に面材が、面材裏面の四周端縁部に枠体が配置されて配設され、枠体を形成する上下の横桟および左右の縦桟の内、下横桟を除き、少なくとも左右の縦桟が、凹部を有する樹脂製の樹脂下地材から形成され、縦桟の凹部は枠体の外方に開放して配置され、左右の縦桟間に配設された下横桟の下端部が面材下端より下方に突出している壁パネルの複数枚が横に並置されて固定される壁パネルの固定構造であって、上方に開放した凹部を有する略樋状形状のレールが床部に設置され、レールの凹部に、横に並置したときに隣接する２枚の壁パネルにおいて互いに突き合わされる左右の縦桟の凹部が２つ合わさった領域に収まる縦下地実が挿入されて固定され、下横桟の下端部がレールの凹部に挿入されるとともに、縦桟の凹部に縦下地実が挿入され、立ち具合が調整されて壁パネルが縦下地実に固定され、壁パネルがレールに沿って鉛直に設置されることを特徴としている。
【００１１】
第２の発明は、上記第１の発明において、壁パネルは、面材の正面側から略垂直にねじ込まれるビスによって縦下地実に固定されることを特徴としている。
【発明の効果】
【００１２】
上記第１の発明によれば、床部に設置された略樋状形状のレール部の上方に開放した凹部に、横に並置したときに隣接する２枚の壁パネルにおいて突き合わされる左右の縦桟の凹部が２つ合わさった領域内に収まる縦下地実が挿入されて固定され、面材下端より下方に突出する下横桟の下端部をレールの凹部に挿入するとともに、縦桟の凹部に縦下地実を挿入し、壁パネルを鉛直面内で上下にわずかに回動させることにより立ち具合を容易に調整することができ、調整後に壁パネルを縦下地実に固定することによって、壁パネルを正確にレールに沿って鉛直に設置することができる。壁パネルの立ち具合の調整に高度な技能は必要なくなる。
【００１３】
上記第２の発明によれば、上記第１の発明の効果に加え、壁パネルは、面材の正面側から略垂直にねじ込まれるビスによって縦下地実に固定されるので、横に並置したときに隣接する２枚の壁パネルを連結するために、ビスを、突き合わされた一方の縦桟から他方の縦桟まで達するように斜めにねじ込む必要はなく、面材が石膏ボードの場合に特に発生しやすい、紙のめくり上がりなどのビス頭部における面材の突出を抑えることができ、壁紙などの仕上げ材を面材表面に配設するに当たって、面材が突出した部分を除去する手間が省ける。
【発明を実施するための最良の形態】
【００１４】
図１、図２は、それぞれ、本発明の壁パネルの固定構造の一実施形態を示した要部切欠斜視図、要部正面図である。
【００１５】
図１および図２に示した実施形態では、壁パネル１は、表裏両面側に石膏ボードである面材２を備えている。面材２の裏面の左右端縁部には、枠体３の一部を形成する縦桟４が配設され、縦桟４は、断面略コ字型形状であり、凹部５を有する、たとえばポリプロピレン、ポリエチレンなどの樹脂製の樹脂下地材６から形成されている。このような樹脂下地材６から形成された縦桟４の凹部５は、枠体３の外方に開放して配置されている。縦桟４が、樹脂下地材６により形成されているので、樹脂下地材６は樹脂成形品であり、成形性が高く、したがって、凹部５の寸法精度が高く、公差はほとんど発生しない。このため、横に並置されて設置された隣接する２枚の壁パネル１同士の間で面材２に段差が発生しにくくなり、直線性の良好な間仕切壁などの内壁を精度よく形成することができる。
【００１６】
壁パネル１では、面材２の裏面上端縁部に配設される枠体３の一部を形成する上横桟７にも樹脂下地材６を適用することが可能である。一方、図１および図２に示した実施形態では、左右の縦桟４間に配設された下横桟８には木質の角材が使用されている。下横桟８は、厚み方向の略半分が面材２の下端から下方に突出している。
【００１７】
また、図１および図２に示した実施形態では、立て込む壁パネル１の位置に対応させて、床下地などの床部９の表面部に、凹部１０を有するレール１１が設置されている。レール１１は、略樋状形状に形成され、凹部１０は上方に開放している。レール１１は、ビス、釘などの固定具を用い、凹部１０を通じて固定具をねじ込み、打入するなどして床部９の表面部に固定し、設置することができる。レール１１は、長尺の部材などとすることができ、間仕切壁などの内壁の長さ方向に連結して配設することができる。
【００１８】
さらに、図１および図２に示した実施形態では、立て込む壁パネル１の縦桟４の位置に対応させて縦下地実１２がレール１１の凹部１０に挿入されて固定されている。縦下地実１２は、横に並置したときに隣接する２枚の壁パネル１において互いに突き合わされる左右の縦桟４の凹部５が２つ合わさった領域、すなわち、空間部分に収まる大きさおよび形状を有している。具体的には、縦下地実１２は、直方体状であり、レール１１の凹部１０の幅に収まる幅を有し、隣接する２枚の壁パネル１において互いに突き合わされる縦桟４の凹部５が２つ合わさった内寸以内の長さを有し、レール１１の凹部１０に挿入されたときに、後述する壁パネル１のビス止めが可能な程度に上方に突出する厚みを有している。このような縦下地実１２は、木質の角材や樹脂成形品などとすることができる。縦下地実１２は、ビス１３を上面からねじ込み、レール１１に貫通させて固定されている。レール１１の凹部１０への挿入により、レール１１の長さ方向に沿って位置合わせを行うことができ、縦下地実１２の位置決めが容易となっている。
【００１９】
そして、図１および図２に示した実施形態では、壁パネル１が、面材２の下端から突出する下横桟８の下端部をレール１１の凹部１０に挿入し、縦桟４の凹部５の下端部に縦下地実１２を挿入させて立て込まれている。立て込む際の壁パネル１の立ち具合の調整、すなわち、水平面に対して壁パネル１を垂直に起立させるための調整は、面材２の下端より下方に突出する下横桟８の下端部をレール１１の凹部１０に挿入するとともに、縦桟４の凹部５の下端部に縦下地実１２を挿入し、壁パネル１を鉛直面内で上下にわずかに回動させることにより調整することができる。上記の通り、壁パネル１を立て込む位置に対応して縦下地実１２があらかじめレール１１に固定されているので、従来必要であった、図７に示した楔などの調整具７２は不要となり、立ち具合は、壁パネル１を鉛直面内で上下にわずかに回動させることによって容易に調整され、しかも壁パネル１の回動は、縦桟４が凹部５を有することから、凹部５の下端部に挿入される縦下地実１２によってガイドされるため、容易であり、特に大工の技能を有しなくとも容易に立ち具合を調整することができ、壁パネル１を正確に鉛直に配置可能となる。床部９の表面が必ずしも水平に配置されず、床部９の表面部に設置されるレール１１が水平に配置されなくとも、壁パネル１は、正確に鉛直に配置される。
【００２０】
このような立ち具合の調整後、ビス１４が、面材２の正面側から略垂直にねじ込まれ、壁パネル１は、鉛直方向を向いて縦下地実１２に固定されている。壁パネル１は、このようにして立ち具合が調整され、鉛直に配置され、複数枚が順次レール１１に沿って横に並置されて設置され、間仕切壁などの内壁を形成する。
【００２１】
なお、壁パネル１の縦下地実１２への固定は、上記の通り、面材２の正面側から略垂直にビス１４をねじ込むことができるので、従来のように、隣接する２枚の壁パネルを連結するために、ビスを、突き合わされた一方の縦桟から他方の縦桟まで達するように斜めにねじ込む必要はなく、面材２が石膏ボードの場合に特に発生しやすい、紙のめくり上がりなどのビス頭部における面材２の突出を抑えることができ、壁紙などの仕上げ材を面材２の表面に配設するに当たって、面材２が突出した部分を除去する手間が省ける。
【００２２】
図３は、本発明の壁パネルの固定構造が適用可能な壁パネルの一形態を示した正面図である。
【００２３】
壁パネル１５は、石膏ボードである面材２の裏面の四周端縁部に略矩形形状の枠体３が配設されて形成されている。面材２は、枠体３の前面および裏面の両側に配設されている。図３は、壁パネル１５の内部を示しており、枠体３の表面側の面材２を省略して図示している。
【００２４】
枠体３は、面材２の裏面において、下端縁部に配置される下横桟８、左右両端縁部に配置される縦桟４、そして、上端縁部に配置される上横桟７を備え、壁パネル１５の強度を高めるなどのために、下横桟８と上横桟７の略中央部において両横桟７、８を連結する縦中桟１６が配設されている。縦中桟１６は、左右の縦桟４に平行に配置されている。また、下横桟８は、厚み方向の略半分が面材２の下端から下方に突出している。
【００２５】
下横桟８には木材が使用され、縦中桟１６にも木材が使用されている。一方、左右の縦桟４および上横桟７の枠体３における三方の桟は、図４＜ａ＞に示したように、断面略コ字型形状を有する樹脂製の樹脂下地材６から形成されている。樹脂下地材６は凹部５を有し、凹部５は、図３に示した枠体３において外方に開放して配置されている。
【００２６】
図４＜ａ＞＜ｂ＞は、それぞれ、樹脂下地材の一形態を示した上向き斜視図、下向き斜視図である。
【００２７】
樹脂下地材６は、長尺の部材であり、前後に対向する側壁部１７を有し、各側壁部１７に下端において底壁部１８が接続され、一体となり、凹部５が形成され、断面略コ字型形状を有している。底壁部１８には、表裏を貫通する配線孔１９が一定間隔で穿設されている。配線孔１９は、図３に示した壁パネル１５の内部に電源線、情報線などの各種の配線を引き込むためのものである。
【００２８】
図３に示した枠体３の左右の縦桟４および上横桟７の三方を形成する際には、図４＜ａ＞に示したように、左側の縦桟４と上横桟７および右側の縦桟４と上横桟７のコーナー部に対応して各桟４、７の長さで樹脂下地材６に側壁部１７の上端から切り込むまたは切り欠くなどした後、左端部および右端部を底壁部１８において下側に略９０°折り曲げる。すると、図５に示したように、左右の縦桟４および上横桟７が一体となった三方枠２０が形成される。このような三方枠２０を用いることにより壁パネル１５の製造が簡便となるとともに、安定した品質で工場生産することができる。
【００２９】
三方枠２０を用いて製造された壁パネル１５では、図６に示したように、樹脂下地材６から形成された左右の縦桟４および上横桟７の凹部５が三方枠２０の外方に開放して配置される。
【００３０】
なお、本発明の壁パネルの固定構造が適用可能な壁パネルは、面材が枠体の表裏面の両側に配設されたものばかりでなく、表裏面のいずれか一方側のみに配設されたものであってもよい。
【図面の簡単な説明】
【００３１】
【図１】本発明の壁パネルの固定構造の一実施形態を示した要部切欠斜視図である。
【図２】図１に示した実施形態の要部正面図である。
【図３】本発明の壁パネルの固定構造が適用可能な壁パネルの一形態を示した正面図である。
【図４】＜ａ＞＜ｂ＞は、それぞれ、樹脂下地材の一形態を示した上向き斜視図、下向き斜視図である。
【図５】図４＜ａ＞＜ｂ＞に示した樹脂下地材から形成される左右の縦桟および上横桟が一体となった三方枠を示した斜視図である。
【図６】図３に示した壁パネルの要部斜視図である。
【図７】従来、壁パネルの設置の際に行っていた立ち具合の調整方法を示した要部正面図である。
【符号の説明】
【００３２】
１  壁パネル
２  面材
３  枠体
４  縦桟
５  凹部
６  樹脂下地材
７  上横桟
８  下横桟
９  床部
１０  凹部
１１  レール
１２  縦下地実
１４  ビス
【図１】
2009102959.tif 000003
【図２】
2009102959.tif 000004
【図３】
2009102959.tif 000005
【図４】
2009102959.tif 000006
【図５】
2009102959.tif 000007
【図６】
2009102959.tif 000008
【図７】
2009102959.tif 000009